(57)【特許請求の範囲】
【請求項１】
２つの鋏身がピンによって分解可能に組み立てられている調理用鋏であって、鋏身に孔状のピンガイドが設けられ、磁極面を該鋏身に隣接し配置された磁石板に前記ピンガイドと連通する孔状のピンガイドが設けられ、一端に該ピンガイドを通過しない大きさの頭部をもつピンが、連通する前記ピンガイドの磁石板の存在しない方から挿入され、軟磁性体の磁性板が磁石板の鋏身に隣接していない磁極面に磁力で吸着され、前記ピンは平面状の先端面を有し、ピンをピンガイドに一杯に挿入したときに、ピンの先端面が磁石板の表面に届き、鋏身及びピン双方のそれぞれの少なくとも一部を軟磁性体で構成することによって、略閉回路を構成する磁束通路を有していることを特徴とする調理用鋏。
【請求項２】
磁性板は周囲が斜面の円錐台形をなしている請求項１記載の調理用鋏。
【請求項３】
ピンの保持力を適切に高めるために、磁束通路であって、ピンと鋏身を分解するときに両者の結合がはずれる部分の磁束通路断面積を、使用材料の特性に適合の範囲で絞った請求項１記載の調理用鋏。
【請求項４】
鋏身及び磁石板のピンガイドがピンとの回転に支障無く且つ隙間の少ない形状を有する請求項１記載の調理用鋏。
【請求項５】
磁石板のピンガイド内に非磁性体のスリ−ブを介在させた請求項４記載の調理用鋏。
【発明の詳細な説明】
【０００１】
【発明の属する技術分野】
本発明は、鋏身のピンガイドに挿入されたピンを固定する調理用鋏に関し、主に、ピンガイドを有する２つの隣接する鋏身にピンを挿入し、磁力によってピンを固定して両鋏身を結合すると共に、ピンを取外し可能に装着する調理用鋏に関する。この調理用鋏は容易に分解できて各部品を洗浄することができる。
【０００２】
【従来の技術】
磁力によってピンを固定する鋏については、特公昭５９−４４０６５公報に示されているように、従来から提案されている。この鋏は、鋏身に磁石を取付けて鋏身のピンガイドと磁石のピンガイドを連通させ、ピンをピンガイドに挿入しピンを磁石の磁力によって固定したものである。
【０００３】
【発明が解決しようとする課題】
従来の、ピンを磁石で固定する鋏は上述のような構成であって、ピンガイドに挿入されたピンが、磁石の磁束のごく一部である内面の磁束を短絡することにより、そのピンの保持力が発生するのである。しかし、磁束のごく一部しか作用しないのでピンを保持するための磁力の効率が非常に悪くなる。
【０００４】
したがって、このような従来の構成にした場合にはきわめて磁力の強い磁石を用いなければならなかった。フェライト磁石やアルニコ磁石などは磁力の強い磁石として知られているが、従来品に対しては十分でない。前述した従来の鋏にこの種の磁石を使用した場合は、薄い紙を切るときは何とか使用に堪えるが、調理用鋏として昆布などのやや堅めのものを切るときは、鋏の双方の刃の間が広がって切ることができないのである。
【０００５】
このような不都合が生じるので、前述した従来の鋏を通常の鋏と同様に種々の用途に対応させるためには、極めて磁力の強い希土類磁石などを使用する必要がある。しかし、希土類磁石などの極めて磁力の強い磁石は極めて高価であり、主婦が主に使用する調理用鋏としては高価格の商品となる欠点がある。また、希土類磁石は錆びやすい性質も有している。
【０００６】
そこで、本発明は希土類磁石などに比べて磁力が弱くても、他の手段を付加することによって磁力を非常に効率的にピンに作用させ、ピンの固定を確実に行なえて、昆布などの比較的堅めの物を切るときでも双方の刃が開かない調理用鋏を提供することを目的とする。あるいは、必要に応じてピンを外して分解する場合、道具を使用せずして部材の分解、組立て作業を容易にすると共に、ピンなどの細かい部品のほとんどを分離して洗浄できるようにすることを目的とする。さらには、鋏身の結合部品をシンプルな形状として洗浄が容易にできることも目的とするものである。
【０００７】
また、非常に強い固定力を得るために、希土類磁石に上述の欠点があることを承知の上でこの磁石を用いてピンを固定する場合がある。しかし、このような場合において、上述したように従来は磁石の磁力の一部しか使用しない方式では、きわめて磁力の強い希土類磁石を用いてもピンを十分に固定することができない場合があった。本発明は、磁石によってピンをきわめて強力に固定することも目的とする。
【０００８】
【課題を解決するための手段】
請求項１記載の本発明の構成は、鋏身に孔状のピンガイドが設けられ、磁極面を該鋏身に隣接し配置された磁石板に前記ピンガイドと連通する孔状のピンガイドが設けられ、一端に該ピンガイドを通過しない大きさの頭部をもつピンが、連通する前記ピンガイドの磁石板の存在しない方から挿入され、軟磁性体の磁性板が磁石板の鋏身に隣接していない磁極面に磁力で吸着され、前記ピンは平面状の先端面を有し、ピンをピンガイドに一杯に挿入したときに、ピンの先端面が磁石板の表面に届き、鋏身及びピン双方のそれぞれの少なくとも一部を軟磁性体で構成することによって、略閉回路を構成する磁束通路を有している。また、請求項２記載の発明は、磁性板は周囲が斜面の円錐台形をなしている構成である。請求項３記載の発明は、ピンの保持力を適切に高めるために、磁束通路であって、ピンと鋏身を分解するときに両者の結合がはずれる部分の磁束通路断面積を、使用材料の特性に適合の範囲で絞った構成である。
【０００９】
請求項４記載の発明は、鋏身及び磁石板のピンガイドがピンとの回転に支障無く且つ隙間の少ない形状を有する構成であり、請求項５記載の発明は、磁石板のピンガイド内に非磁性体のスリ−ブを介在させた構成である。
【００１０】
【発明の効果】
本発明は以上のような構成であって、鋏身に孔状のピンガイドが設けられ、磁極面を該鋏身に隣接し配置された磁石板に前記ピンガイドと連通する孔状のピンガイドが設けられ、一端に該ピンガイドを通過しない大きさの頭部をもつピンが、連通する前記ピンガイドの磁石板の存在しない方から挿入され、軟磁性体の磁性板が磁石板の鋏身に隣接していない磁極面に磁力で吸着され、前記ピンは平面状の先端面を有し、ピンをピンガイドに一杯に挿入したときに、ピンの先端面が磁石板の表面に届き、鋏身及びピン双方のそれぞれの少なくとも一部を軟磁性体で構成することによって、略閉回路を構成する磁束通路を有している構成である。この構成によって、磁石板のピンガイドに挿入されているピンの先端面に磁石板の磁束を集めることができる。したがって、ピンを固定する磁力は、ピンの先端面に働いてピンをその軸線方向に引っ張る作用をなす。このために、ピンを固定するために磁力が効率良くピンに作用し、従来に比べて同じ磁力の磁石を用いたときにピンをはるかに強力に固定できる。また、隣接する２つの鋏身にピンが挿入され、ピンの頭部と磁性板に挾まれことによって鋏身同士が結合されている場合に、２つの鋏身を離そうとする力が作用したときでも、ピンと磁性板の保持力の範囲内で鋏身同士が離れることを確実に防止できる。
【００１１】
前述したように本発明は磁力がピンの軸線方向に働くので、２つの鋏身を圧接させるために本発明を使用するときは磁力を効率良く利用できる。このことは、２つの鋏身を圧接するために従来は希土類磁石を用いていた器具に、希土類磁石のようなきわめて磁力の強い磁石を用いなくても目的を達成することが可能になる。特に、フェライト磁石は、希土類磁石に比べて価格が非常に安いので安価に提供することができる。また、希土類磁石は錆び易いが、フェライト磁石等は錆びにくいので、台所で使用する調理用鋏に使用するときに最適である。
【００１２】
また、２つの鋏身をコジる方向に外力が加わったときに鋏身にテコの力が働いて、このテコの力はピンを引きはがすように強力に作用する。これに対し、請求項４に記載したように磁石板のピンガイド孔とピンの隙間を小さくすることにより、このコジりを防ぎピンを固定することができる。
【００１３】
請求項２は、磁性板は周囲が斜面の円錐台形をなしている。したがって、磁性板が床に落ちて転がろうとしたときに、磁性板の周面が斜面であることによって、磁性板が螺旋を描くように同じ場所を転がる。これによって、磁性板が直線状にどんどん転がって行くことがなく、冷蔵庫などの下に転がり込んで紛失することを防止できる。
【００１４】
請求項５の構成は、磁石板のピンガイド内に非磁性体のスリ−ブを介在させたことを特徴としている。これは、以下の理由による。磁石板にはピンを挿入するためのピンガイドが形成されるのであるが、元来、磁石板は製作時に焼結縮みでかなり大きな誤差が生じる性質を有している。したがって、ピンをほぼ隙間なく挿入できるようなピンガイドを有する磁石板を製作しようとしたときに、ピンガイドの大きさがピンの外径よりも小さくなってピンがピンガイドに挿入できない場合が頻繁に生じる虞がある。そこで、あらかじめピンガイドはピンよりもかなり大きくなるように製作してピンが通らない磁石板が出来上がることを防止し、ピンガイドとピンの間に大きな隙間が開くのは承知の上で、その隙間にスリ−ブを介在させてピンがピンガイド内でガタつくことのないようにするものである。また、スリ−ブが非磁性体であるのは、もし磁性体で製作したときは、ピンを通る磁束のいくらかがスリ−ブを通ることになって、ピンの保持力が弱化するからである。
【００１５】
【発明の実施の形態】
本発明の実施の形態を図面に従って説明する。図面は調理用鋏である。両鋏身１，２はそれぞれプラスチック製のハンドル３，４の先方に刃部５，６を設けたものである。刃部５，６は磁性ステンレス鋼で形成されている。また、刃部５，６の基部にはピンガイド７，８が設けられている。
【００１６】
磁石板９はフェライト磁石で円盤状に薄めに形成されており、中央にピンガイド１０が貫設されている。磁石板９はフェライト磁石に限定されないことは勿論である。コストに関係なくピンを非常に強い力で固定する必要があるときは希土類磁石のような磁力がきわめて強い磁石を用いてもよい。
【００１７】
磁石板９は、ピンガイド１０とピンガイド７が連通するようにそれ自身の磁力によって刃部５に吸着している。
【００１８】
ピンガイド１０の内径はピンガイド７，８よりも大きくなるように設けられ、その隙間に非磁性体である真ちゅう製のスリ−ブ１１が内接している。スリ−ブ１１は真ちゅうに限定されるものでなく、非磁性の他の金属あるいはプラスチックであっても差支えない。
【００１９】
ピン１２はその一端にフランジ状の頭部１３が一体に設けられている。ピンの長さは、ピンをピンガイド７，８内に一杯に挿入したときに、ピンの先端面１４が磁石板９の表面に届いてやや余る程度である。すなわち、頭部１３を除いたピン１２の胴部の長さは、両刃部５，６と磁石板９の厚みの合計よりもやや長くなるように形成されている。
【００２０】
磁性板１５は磁性ステンレスで形成されていて、図３に示したように周面が斜面の円錐台形をなしている。磁性板１５を円錐台形とした理由は、磁性板１５が床に落ちて転がろうとしたときに、磁性板１５の周面が斜面であることによって、磁性板１５が螺旋を描くように同じ場所を転がるようにするためである。これによって、磁性板１５が直線状にどんどん転がって行くことがなく、冷蔵庫などの下に転がり込んで紛失することを防止できる。
【００２１】
図面に示した鋏を組立てるときは、まず２つの鋏身１，２を重ねてピンガイド７，８に下からピン１２を挿入する。この作業によって２つの鋏身の相対的な位置を確定することができる。次に、上側のピンガイド７から突き出たピンの周りにスリ−ブ１１を装着し、さらにその周りに磁石板９を装着する。その後に、磁性板１５を磁石板９の表面に吸着させる。磁性板１５は、磁石板９の中央から離れた位置で一部分を磁石板９に吸着させた後、磁石板９の中央部に水平方向にずらすことで容易に吸着される。
【００２２】
組立てた鋏を分解するときは、まず磁性板１５を水平方向にずらすことによって磁石板９から分離する。磁性板１５と磁石板９との間の磁気エネルギ−の変化は、磁性板１５を垂直方向に引き離す場合は急峻で、引きはがすことは困難であるが、水平方向にずらす場合は緩慢で容易にずらすことができる。次いで、ハンドル３を包むように手で握り、親指を磁石板９の表面にあてがってから鋏身１をピン１２の軸線方向にまっすぐ引き上げる。このときは、磁石板９の磁束の通路はすでに開いていて大幅に減少していると共に、その一部がピンに働いているだけであるから、鋏身１をピン１２から容易に引き離すことができる。その後、ピン１２は自然に落下し、刃部５に吸着している磁石板９及びスリ−ブ１１を取り外せば全体を分解できる。
【００２３】
ただし、磁性板１５を磁石板９から外したとき、あるいは磁石板９を刃部５から外したときに、ピンガイド１０内に装着していた非磁性のスリ−ブ１１を固定しておくため手段がなくなるので、スリ−ブ１１がピンガイド１０から抜け出し転がって紛失する虞がある。したがって、スリ−ブ１１をピンガイド１０内で固着させることが好ましい。
【図面の簡単な説明】
【図１】  本発明の分解図
【図２】  本発明の斜視図
【図３】  ピンによる結合状態を示す断面図
【図４】  本発明の正面図
【符号の説明】
１  鋏身
２  鋏身
３  ハンドル
４  ハンドル
５  刃部
６  刃部
７  ピンガイド
８  ピンガイド
９  磁石板
１０  ピンガイド
１１  スリ−ブ
１２  ピン
１３  頭部
１４  ピンの先端面
１５  磁性板
【図１】
0004446416.tif 000002
【図２】
0004446416.tif 000003
【図３】
0004446416.tif 000004
【図４】
0004446416.tif 000005